【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
携帯型電子デバイスとアクセサリデバイスとの間における通信のための方法であって、
前記アクセサリデバイスに対してデバイス能力要求を発行することと、
前記アクセサリデバイスからデバイス能力応答を受信することと、
前記デバイス能力に基づいて前記アクセサリデバイスと引き続きやりとりすることであって、前記デバイス能力応答は、電力制御能力、フィルタリング能力、リスニングモード能力、リスニング窓タイミング能力、ビーコン伝送サポート、および伝送速度サポートのうちの１つまたは複数に関する情報を含む、ことと、
前記アクセサリデバイスの動作モードを設定するために使用されるデバイスモード設定要求を前記アクセサリデバイスに対して発行することと、
前記アクセサリデバイスにおいてネットワークフィルタリングを設定するために使用されるフィルタ設定要求を前記アクセサリデバイスに対して発行することであって、前記フィルタ設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作し、前記フィルタリングはノード識別子に基づくノードフィルタリングである、ことと、
生理学的感知デバイスと通信するために前記アクセサリデバイスによって用いられるネットワークの伝送速度を設定するために使用されるネットワークデータ速度設定要求を前記アクセサリデバイスに対して発行することと、
生理学的感知デバイスと通信するために前記アクセサリデバイスによって用いられるネットワークを通じて入ってくるデータフレームを前記アクセサリデバイスが聴く受信窓を設定するために使用される受信窓タイミング設定要求を前記アクセサリデバイスに対して発行することと、
を備える方法。
【請求項２】
請求項１に記載の方法であって、
前記デバイスモード設定要求は、電力制御モード、フィルタリングモード、データ転送制御モード、リスニングモード、リスニング窓タイミング制御状態、ビーコン伝送制御状態、および伝送速度制御状態のうちの１つまたは複数を、前記アクセサリデバイスにおいて設定するように動作する、方法。
【請求項３】
請求項１に記載の方法であって、
フィルタリスト上の１つまたは複数のエントリは、ネットワークを通じて前記アクセサリデバイスにおいて受信されたどのデータフレームが前記携帯型コンピューティングデバイスへと転送されるかを判断するために、前記アクセサリデバイスによって使用され、
前記フィルタ設定要求は、フィルタリストに対して１つまたは複数のエントリを追加する、方法。
【請求項４】
請求項１に記載の方法であって、
前記受信窓タイミング設定要求は、少なくとも、受信期間の時間間隔および持続時間を含む、方法。
【請求項５】
請求項１に記載の方法であって、さらに、
別のデバイスと通信するために前記アクセサリデバイスによって用いられるネットワークを通じてデータフレームを送信するために前記アクセサリデバイスによって使用される伝送ビーコン設定要求を前記アクセサリデバイスに対して発行することを備える方法。
【請求項６】
請求項１に記載の方法であって、
前記アクセサリデバイスは、ネットワークを通じて１つまたは複数の生理学的感知デバイスと通信することができる無線インターフェースデバイスである、方法。
【請求項７】
携帯型電子デバイスであって、
前記携帯型電子デバイスとアクセサリデバイスとの間における通信を促進するよう適合されたプロセッサを備え、
前記プロッセッサは、
前記アクセサリデバイスに対してデバイス能力要求を発行することと、
前記アクセサリデバイスからデバイス能力応答を受信することと、
前記デバイス能力に基づいて前記アクセサリデバイスと引き続きやりとりすることであって、前記デバイス能力応答は、電力制御能力、フィルタリング能力、リスニングモード能力、リスニング窓タイミング能力、ビーコン伝送サポート、および伝送速度サポートのうちの１つまたは複数に関する情報を含む、ことと、
前記アクセサリデバイスの動作モードを設定するために使用されるデバイスモード設定要求を前記アクセサリデバイスに対して発行することと、
前記アクセサリデバイスにおいてネットワークフィルタリングを設定するために使用されるフィルタ設定要求を前記アクセサリデバイスに対して発行することであって、前記フィルタ設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作し、前記フィルタリングは、ノード識別子に基づくノードフィルタリングである、ことと、
生理学的感知デバイスと通信するために前記アクセサリデバイスによって用いられるネットワークの伝送速度を設定するために使用されるネットワークデータ速度設定要求を前記アクセサリデバイスに対して発行することと、
生理学的感知デバイスと通信するために前記アクセサリデバイスによって用いられるネットワークを通じて入ってくるデータフレームを前記アクセサリデバイスが聴く受信窓を設定するために使用される受信窓タイミング設定要求を前記アクセサリデバイスに対して発行することと、
を実行するよう動作可能である、携帯型電子デバイス。
【請求項８】
請求項７に記載の携帯型電子デバイスであって、
前記デバイスモード設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作する、携帯型電子デバイス。
【請求項９】
請求項７に記載の携帯型電子デバイスであって、
前記フィルタリスト上の１つまたは複数のエントリは、ネットワークを通じて前記アクセサリデバイスにおいて受信されたどの前記データフレームが前記携帯型コンピューティングデバイスに転送されるかを判断するために、前記アクセサリデバイスによって使用され、前記フィルタ設定要求は、フィルタリストに対して１つまたは複数のエントリを追加する、携帯型電子デバイス。
【請求項１０】
請求項７に記載の携帯型電子デバイスであって、
前記受信窓タイミング設定要求は、少なくとも、受信期間の時間間隔および持続時間を含む、携帯型電子デバイス。
【請求項１１】
請求項７に記載の携帯型電子デバイスであって、前記プロセッサはさらに、
別のデバイスと通信するために前記アクセサリデバイスによって用いられるネットワークを通じてデータフレームを送信するために前記アクセサリデバイスによって使用される伝送ビーコン設定要求を前記アクセサリデバイスに対して発行するよう動作可能である、携帯型電子デバイス。
【請求項１２】
請求項７に記載の携帯型電子デバイスであって、
前記アクセサリデバイスは、ネットワークを通じて１つまたは複数の生理学的感知デバイスと通信することができる無線インターフェースデバイスである、携帯型電子デバイス。
【請求項１３】
請求項１ないし６のいずれかに記載の携帯型電子デバイスとアクセサリデバイスとの間における通信のための方法をコンピュータに実行させるためのコンピュータプログラムコードを少なくとも含むコンピュータ可読媒体。